(57)【要約】【課題】排水パイプの詰まりや触感の悪化を招くことなく、上述のような厚手ペーパーを使用することが可能なトイレットペーパーを提供する。【解決手段】ロール状に巻回される厚さ０．８ｍｍ〜１．２ｍｍの厚手ペーパー１の両面に、反対側の面まで貫通しない多数の針穴２が穿設されている。【選択図】図３
2012239743.tif 000002
【特許請求の範囲】
【請求項１】
ロール状に巻回される厚さ０．８ｍｍ〜１．２ｍｍの厚手ペーパーの両面に、反対側の面まで貫通しない多数の針穴が穿設されていることを特徴とするトイレットペーパー。
【発明の詳細な説明】
【技術分野】
【０００１】
本発明は、ロール状に巻回されるトイレットペーパーに関するものである。
【背景技術】
【０００２】
このようなロール状に巻回されるトイレットペーパーとしては、一般的にペーパーが１枚のものや２枚重ねにしたものが知られている。また、本発明の発明者による特許文献１には、使用に際して折り畳む必要がないか、もしくは最低限の折り畳み回数で済むようにペーパーを４枚重ねにしたものも提案されている。同様に、ペーパーを４枚重ねにすることは特許文献２の比較例２にも記載されており、さらに特許文献３にはペーパーを６枚〜１２枚重ねにすることが記載されている。
【先行技術文献】
【特許文献】
【０００３】
【特許文献１】特開２００３−０２４２４０号公報
【特許文献２】特開２００５−１６８５８２号公報
【特許文献３】特開２００２−１１２９１９号公報
【発明の概要】
【発明が解決しようとする課題】
【０００４】
ところで、特許文献１、３に記載されているように使用に際してペーパーを折り畳む必要がないか、もしくは最低限の折り畳み回数で済むようにするには、薄手のペーパーの重ね枚数を増やす代わりに、１枚のペーパーでその厚さを厚くすることが考えられる。例えば、厚さが０．８ｍｍ〜１．２ｍｍの厚手ペーパーであれば、一般的な幅１１０ｍｍ〜１１５ｍｍのトイレットペーパーにおいて、１５０ｍｍ〜２００ｍｍ程度の長さを繰り出して切断すれば、折り畳むことなく十分に用を足すことができる。
【０００５】
しかしながら、そのような厚手ペーパーは、水洗トイレに流したときに分解し難く、排水パイプに詰まりを生じるおそれがあるため、従来使用されてはいなかった。また、単に厚いだけでは手触りや使用時の触感も悪く、かといって薄手のペーパーと同じようにエンボス加工などを施すと、厚手のペーパーが圧縮されて潰れてしまい、却って固くなって触感を損なうことになる。
【０００６】
本発明は、このような背景の下になされたもので、排水パイプの詰まりや触感の悪化を招くことなく、上述のような厚手ペーパーを使用することが可能なトイレットペーパーを提供することを目的としている。
【課題を解決するための手段】
【０００７】
上記課題を解決して、このような目的を達成するために、本発明は、ロール状に巻回される厚さ０．８ｍｍ〜１．２ｍｍの厚手ペーパーの両面に、反対側の面まで貫通しない多数の針穴が穿設されていることを特徴とするものであり、こうして多数の針穴が厚手ペーパーの両面から反対側の面まで貫通しないように穿設されることにより、厚手ペーパーに柔軟性を付与して触感の向上を図るとともに、水洗トイレに流したときに針穴から厚手ペーパーを分解しやすくして、排水パイプへの詰まりを防止することができる。
【０００８】
ここで、針穴が厚手ペーパーの反対側の面まで貫通していると、厚手ペーパーが破れやすくなったり、使用時に汚物が手に付着したりするおそれがある。また、針穴の直径は０．５ｍｍ〜０．８ｍｍ程度とされるのが望ましく、さらに針穴の深さは０．５ｍｍ〜０．９ｍｍ程度とされるのが望ましく、厚手ペーパーの厚さよりは勿論小さくされる。さらにまた、針穴の数は厚手ペーパーの片面当り１０ｍｍ四方（１００ｍｍ２）に１つ以上形成されるのが望ましい。
【発明の効果】
【０００９】
このように、本発明によれば、厚さ０．８ｍｍ〜１．２ｍｍの厚手ペーパーでも、手触りや使用時の触感を向上させるとともに、排水パイプへの詰まりを防止することができ、必要長さを繰り出してそのまま使用することができるので、従来のトイレットペーパーのように繰り出してから折り畳んだりする手間が省くことができる。
【図面の簡単な説明】
【００１０】
【図１】本発明の一実施形態を示す厚手ペーパーの平面図である。
【図２】図１に示す実施形態の拡大平面図である。
【図３】図１に示す実施形態の拡大断面図である。
【発明を実施するための形態】
【００１１】
図１ないし図３は、本発明の一実施形態を示すものである。本実施形態のトイレットペーパーは、バージンパルプ、または古紙再生パルプ、あるいはこれらの混合物よりなり、図１に示すように幅Ｗが１１０ｍｍ〜１１５ｍｍの範囲で長さが数十ｍの長尺状とされ、図示されない紙管等の芯に巻き取られ、または芯無しで巻き取られて、ロール状に巻回される。ただし、本実施形態のトイレットペーパーは、その厚さｔが０．８ｍｍ〜１．２ｍｍの範囲の厚手ペーパー１により構成されている。
【００１２】
そして、この厚手ペーパー１には、その表裏両面に多数の針穴２があけられている。これらの針穴２は、その直径が０．５ｍｍ〜０．８ｍｍの範囲、深さｄが０．５ｍｍ〜０．９ｍｍの範囲とされており、ただし図３に示すように厚手ペーパー１の表裏両面から反対側の面には互いに貫通しない止まり穴とされていて、すなわち針穴２の深さｄは厚手ペーパー１の厚さｔより小さくされている。
【００１３】
このような針穴２は、厚手ペーパー１の両面それぞれについて、片面当り１０ｍｍ四方（１００ｍｍ２）に少なくとも１つ以上形成されていて、本実施形態では図１および図２に破線で示すように厚手ペーパー１の幅方向（図１における左右方向）と長さ方向（図１における上下方向）とに１０ｍｍずつ間隔をあけた格子状に配列されている。なお、厚手ペーパー１の表裏両面の針穴２は、互いに重なり合わずに針穴２が貫通していなければよいが、本実施形態では上述のように片面に格子状に配列された４つの針穴２がなす正方形の中央に反対側の面の針穴２があけられるようにされている。
【００１４】
また、本実施形態では、この厚手ペーパー１の幅方向に延びるミシン目３が、厚手ペーパー１の長さ方向に１５０ｍｍ〜２００ｍｍ程度の長さＬの間隔で等間隔に形成されている。このミシン目３は、厚手ペーパー１を貫通するようにされていて、個々のミシン目３は針穴２の直径よりも上記幅方向に長く延びるとともに、ミシン目３同士の上記幅方向の間隔は針穴２同士の間隔より小さくされている。なお、このミシン目３を中心とした範囲には、厚手ペーパー１の色とは異なる着色（厚手ペーパー１が白色の場合はピンクや水色など）が施されていてもよい。
【００１５】
このようなトイレットペーパーは、例えば上述のような厚さに製造された厚手ペーパー１の表面と裏面から、厚手ペーパー１を貫通しない長さの針を交互に差し込むことにより針穴２を形成するとともに、ミシン目３を付与して所定長さをロール状に巻回し、これを上述のような幅Ｗに裁断して製造することができる。
【００１６】
従って、このように構成されたトイレットペーパーでは、まず厚さｔが上述のように０．８ｍｍ〜１．２ｍｍの厚手ペーパー１をロール状に巻回しているので、上記長さＬ分だけロールから厚手ペーパー１を繰り出してそのまま使用することができる。このため、従来のように長めに繰り出したペーパーを折り畳む手間がなく、またペーパーの繰り出し過ぎなどによる無駄も防ぐことができる。
【００１７】
そして、このように厚手ペーパー１を用いながらも、その両面には多数の針穴２が穿設されており、厚手ペーパー１に適度な柔軟性をもたせて手触りや使用時の触感を向上させることができる。しかも、この多数の針穴２は、厚手ペーパー１の反対側の面には貫通しないものであるので、厚手ペーパー１の引張り強度が損なわれて破れやすくなったり、使用時に汚物が手に付着したりするのは防ぐことができる。
【００１８】
また、使用後に水洗トイレに流された厚手ペーパー１は、この針穴２から水が浸入して厚さ方向全体に行き渡ることにより、速やかに分解されることになる。このため、上述のような厚手ペーパー１を使用してもトイレの排水パイプに詰まりを生じたりすることがなく、スムーズに排出することができる。
【００１９】
なお、厚手ペーパー１の厚さｔが厚すぎると、多数の針穴２が穿設されていても分解され難くなって詰まりを生じるおそれがあるとともに、手触りや触感も固くなって満足な使用感を得られない。その一方で、逆に厚さｔが薄すぎると、上記長さＬ分だけ繰り出しただけでは使用に足りず、従来と同じように２枚重ねに折り畳んだりしなければならなくなる。このため、厚手ペーパー１の厚さｔは上述のように０．８ｍｍ〜１．２ｍｍとされている。
【００２０】
また、この厚手ペーパー１に穿設される針穴２の直径が小さすぎたり深さｄが浅すぎたりすると、水洗トイレに流した際に速やかに水を厚手ペーパー１の厚さ方向に浸入させることができずに厚手ペーパー１が分解され難くなる。その一方で、この直径が大きすぎたり深さｄが深すぎたりすると、針穴２が反対側に面に貫通していなくても厚手ペーパー１の引張り強度が損なわれて破れやすくなったりするおそれがあるので、針穴２の直径は０．５ｍｍ〜０．８ｍｍの範囲とされるのが望ましく、また針穴２の深さｄは厚手ペーパー１の厚さｔに応じて０．５ｍｍ〜０．９ｍｍの範囲とされるのが望ましい。
【００２１】
さらに、この針穴２の数が少なすぎても、やはり水洗トイレに流した際に針穴２から厚手ペーパー１全体に速やかに水を浸入させて分解することができなくなるおそれがあるので、本実施形態のように片面当り１０ｍｍ四方（１００ｍｍ２）に１つ以上の針穴２が形成されるのが望ましい。ただし、逆にこの針穴２の数が多くなりすぎても、厚手ペーパー１の強度が損なわれるおそれがあるので、片面当り１０ｍｍ四方について１０個以下が望ましく、４つ以下とされるのがより望ましい。
【００２２】
さらにまた、本実施形態では、ミシン目３の位置に上述のように厚手ペーパー１の色とは異なる着色を施すことにより、トイレットペーパーホルダのカッタの位置にミシン目３を合わせて切断しやすくなる。しかも、このミシン目３は、針穴２の直径よりも上記幅方向に長く延びるとともに、ミシン目３同士の上記幅方向の間隔は針穴２同士の間隔より小さくされていて、ミシン目３の位置で厚手ペーパー１が切断され易くなっているので、ミシン目３ではなく針穴２の位置でトイレットペーパーが切断されてしまって、次に繰り出すときに繰り出し難くなったり、見た目が見苦しくなったりするのを防ぐことができる。
【符号の説明】
【００２３】
１  厚手ペーパー
２  針穴
３  ミシン目
ｄ  針穴２の深さ
ｔ  厚手ペーパー１の厚さ
Ｗ  厚手ペーパー１の幅
Ｌ  ミシン目２の間隔の長さ
【図１】
2012239743.tif 000003
【図２】
2012239743.tif 000004
【図３】
2012239743.tif 000005